(57)【要約】【課題】鏡筒に嵌合して使用する光学レンズにおいて、精確な位置決めと光軸調整を行うことができる光学レンズを提供することを目的とする。【解決手段】鏡筒に嵌合して使用する光学レンズにおいて、光学機能面の外周にあるフランジのフランジ下面に基準面を形成するとともに、フランジ上面に接着だまりを形成し、前記基準面をレンズ載置部に載置することによって光学レンズの位置決めと光軸調整を行うとともに、前記接着だまりに供給した接着剤によって光学レンズを鏡筒内に固定し、さらに接着だまりに供給した接着剤が基準面に流れ込むのを防止するため、フランジ外周の下部全周にわたってスペーサを形成した。【選択図】        図１
2004354709.tif 000002
【特許請求の範囲】
【請求項１】
鏡筒に嵌合して使用する光学レンズにおいて、
光学機能面（１）の外周にあるフランジ（２）のフランジ下面に基準面（３）を形成するとともに、フランジ上面に接着だまり（４）を形成し、前記基準面（３）をレンズ載置部に載置することによって光学レンズの位置決めと光軸調整を行うとともに、前記接着だまり（４）に供給した接着剤によって光学レンズを鏡筒内に固定し、
さらに接着だまり（４）に供給した接着剤が基準面（３）に流れ込むのを防止するため、フランジ外周の下部全周にわたってスペーサ（６）を形成したことを特徴とする光学レンズ。
【請求項２】
フランジ（２）の外周面の嵌合部よりも下方にスペーサ（６）を形成し、
フランジ外周面の嵌合部とフランジ下面の基準面（３）との間に介在するスペーサ（６）によって、基準面（３）の外周を内側に移行させたことを特徴とする請求項１に記載の光学レンズ。
【請求項３】
光学機能面（１）の外周にフランジ（２）を形成した光学レンズを鏡筒に取り付けるにあたって、
フランジ下面に形成した基準面（３）と、フランジ上面に形成した接着だまり（４）と、フランジ外周の下部全周にわたって形成したスペーサ（６）とを備える光学レンズ（１０）を鏡筒（２０）に嵌合し、
前記基準面（３）をレンズ載置部に載置して光学レンズの位置決めと光軸調整を行うとともに、
前記接着だまり（４）に供給した接着剤によって鏡筒内に光学レンズを固定し、
さらにフランジ外周面の嵌合部とフランジ下面の基準面（３）との間に介在するスペーサ（６）によって、基準面（３）に接着剤が流れ込むのを防止することを特徴とする光学レンズの取り付け方法。
【請求項４】
鏡筒内周に形成した凸部（２１）に基準面（３）を載置し、光学レンズの位置決めと光軸調整を行うことを特徴とする請求項３に記載の光学レンズの取り付け方法。
【請求項５】
光学機能面（１）の外周にフランジ（２）を形成した２つの光学レンズをマージナルコンタクトさせて鏡筒（２０）に取り付けるにあたって、
フランジ下面に形成した第１基準面（３ａ）と、フランジ上面に形成したレンズ載置面（５）とを備える第１光学レンズ（１０ａ）を鏡筒（２０）に嵌合するとともに、フランジ下面に形成した第２基準面（３ｂ）と、フランジ上面に形成した接着だまり（４ｂ）と、フランジ外周の下部全周にわたって形成したスペーサ（６ｂ）とを備える第２光学レンズ（１０ｂ）を鏡筒（２０）に嵌合し、
前記凸部（２１）に第１基準面（３ａ）を載置して第１光学レンズ（１０ａ）の位置決めと光軸調整を行うとともに、前記レンズ載置面（５）に第２基準面（３）を載置して第２光学レンズ（１０ｂ）の位置決めと光軸調整を行い、
接着だまり（４ｂ）に供給した接着剤によって第２光学レンズ（１０ｂ）と鏡筒（２０）とを接着して２つの光学レンズを鏡筒内に固定し、
さらにフランジ外周面の嵌合部とフランジ下面の第２基準面（３ｂ）との間に介在するスペーサ（６ｂ）によって、第２基準面（３ｂ）に接着剤が流れ込むのを防止することを特徴とする光学レンズの取り付け方法。
【発明の詳細な説明】
【０００１】
【発明の属する技術分野】
本発明は、光学機器などに用いられる光学レンズおよび光学レンズの取り付け方法に関する。
【０００２】
【従来の技術】
従来の光学レンズを鏡筒に取り付けた状態を図３および図４を参照して説明する。
２つの光学レンズをマージナルコンタクトさせて鏡筒に取り付ける場合（例えば、特許文献１を参照）、図３（ａ）に示すように、鏡筒２０に嵌合した第１光学レンズ１００ａのフランジ下面の第１基準面１０３ａを鏡筒内周の凸部２１に載置して、第１光学レンズ１００ａの位置決めと光軸調整を行うとともに、鏡筒２０に嵌合した第２光学レンズ１００ｂのフランジ下面の第２基準面１０３ｂを、前記第１光学レンズ１０１ａのフランジ上面のレンズ載置面１０５に載置して、第２光学レンズ１００ｂの位置決めと光軸調整を行う。そして、第２光学レンズ１００ｂのフランジ上面の接着だまり１０４ｂに供給した接着剤で第２光学レンズ１００ｂと鏡筒２０とを接着し、第１および第２光学レンズ１００ａ，１００ｂを鏡筒２０に固定する。
つまり２つの光学レンズをマージナルコンタクトさせて鏡筒に取り付ける場合、鏡筒内に嵌合した各光学レンズのフランジ下面の基準面（第１基準面１０３ａや第２基準面１０３ｂ）を、レンズ載置部（鏡筒内周に形成した凸部２１や、下側に配置される第１光学レンズ１００ａのフランジ上面に形成したレンズ載置面１０５）に載置することによって、夫々の光学レンズの位置合わせと光軸調整を行い、フランジ上面の接着だまり１０４ｂに供給した接着剤によって、鏡筒内に光学レンズを固定していた。
【０００３】
図４は、１つの光学レンズ１００を鏡筒２０に取り付けた状態を示すものであって、鏡筒２０に嵌合した光学レンズ１００のフランジ下面の基準面１０３を鏡筒内周の凸部２１に載置することによって光学レンズ１００の位置決めと光軸調整を行うとともに、光学レンズ１００のフランジ上面の接着だまり１０４に供給した接着剤で光学レンズ１００と鏡筒２０とを接着し、光学レンズ１００を鏡筒２０に固定している。
つまり１つの光学レンズを鏡筒に取り付ける場合も、鏡筒内に嵌合した光学レンズのフランジ下面の基準面１０３を、レンズ載置部（鏡筒内周に形成した凸部２１）に載置することによって、光学レンズの位置合わせと光軸調整を行い、フランジ上面の接着だまり１０４に供給した接着剤によって、鏡筒内に光学レンズを固定する。
【０００４】
【特許文献１】
特開平８−２２０４０８号公報
【０００５】
【発明が解決しようとする課題】
しながら従来の光学レンズを鏡筒に取り付けた場合、フランジ上面の接着だまりに供給した接着剤が、レンズ外周面と鏡筒内周面の微細な隙間を伝ってフランジ下面の基準面に流れ込み、前記接着剤によってレンズ載置部に載置した基準面が浮いて光学レンズの精確な位置決めと光軸調整を阻害していた。
例えば、接着だまりに接着剤を供給した状態をあらわす図３（ｂ）に示すように、第２光学レンズ１００ｂのフランジ上面の接着だまり１０４ｂに供給した接着剤が、第２光学レンズ１００ｂの外周面と鏡筒２０の内周面の微細な隙間を伝って下方に流れ、毛細管現象によって第２光学レンズ１００ｂのフランジ下面にある第２基準面１０３ｂへ流れ込み、この第２基準面１０３ｂに流れ込んだ接着剤によって第２光学レンズ１００ｂが浮いて、第２光学レンズ１００ｂの位置決めを精確に行うことができず、光軸ずれが発生したりしていた。
なお図３（ｂ）は、図３（ａ）中のＸ部位を拡大した拡大部分断面図である。
【０００６】
【課題を解決するための手段】
そこで、この発明によれば、鏡筒に嵌合して使用する光学レンズにおいて、光学機能面の外周にあるフランジのフランジ下面に基準面を形成するとともに、フランジ上面に接着だまりを形成し、前記基準面をレンズ載置部に載置することによって光学レンズの位置決めと光軸調整を行うとともに、前記接着だまりに供給した接着剤によって光学レンズを鏡筒内に固定し、さらに前記接着だまりに供給した接着剤が基準面に流れ込むのを防止するため、フランジ外周の下部全周にわたってスペーサを形成したものである。
【０００７】
【発明の実施の形態】
以下に、この発明の好適な実施例について図面を参照にして説明する。
【０００８】
この発明による光学レンズの第１の形態について、図１に示す。
図１（ａ）の部分断面図は、光学機能面１の外周にフランジ２を形成した２つの光学レンズ（第１光学レンズ１０ａと第２光学レンズ１０ｂ）をマージナルコンタクトさせて鏡筒２０に取り付けた状態を示すものであって、第１光学レンズ１０ａのフランジ下面に形成した第１基準面３ａを鏡筒内周に形成した凸部２１に載置するとともに、第２光学レンズ１０ｂのフランジ下面に形成した第２基準面３ｂを第１光学レンズ１０ａのフランジ上面に形成したレンズ載置面５に載置し、２つの光学レンズの位置決めと光軸調整を行っている。
【０００９】
この実施例では、第１光学レンズ１０ａのフランジ外周面の嵌合部を鏡筒２０の内周面に内接させるとともに、フランジ下面の第１基準面３ａを凸部２１に載置して第１光学レンズ１０ａの位置決めと光軸調整を行い、さらに第２光学レンズ１０ｂのフランジ外周面の嵌合部を鏡筒２０の内周面に内接させるとともに、第１光学レンズ１０ａのフランジ上面のレンズ載置面５に第２基準面３ｂを載置して第２光学レンズ１０ｂの位置決めと光軸調整を行っている。
つまり夫々の光学レンズのフランジ下面に形成した基準面（第１基準面３ａや第２基準面３ｂ）をレンズ載置部（鏡筒内周に形成した凸部２１や、第１光学レンズのフランジ上面に形成したレンズ載置面５）に載置することによって、夫々の光学レンズの位置合わせと光軸調整を行っている。
【００１０】
さらに前記第２光学レンズ１０ｂには、フランジ上面に接着だまり４ｂを形成し、フランジ外周の下部全周にわたってスペーサ６ｂを形成してある。
フランジ外周の下部全周にわたって形成したスペーサ６ｂは、フランジ上面の接着だまり４ｂに供給した接着剤がフランジ下面の第２基準面３ｂに流れ込むのを防止するための手段であり、フランジ外周面の嵌合部よりも下方を凹ませるようにしてスペーサ６ｂを形成することによって、フランジ下面にある第２基準面３ｂの外周を内側に移行させたものである。
【００１１】
つまり、フランジ外周面の嵌合部とフランジ下面の第２基準面３ｂとの間に介在するスペーサ６ｂによって第２基準面３ｂの外周をレンズ中心に向かって移行させ、前記第２基準面３ｂの外周をフランジ外周面の嵌合部から遠ざけるとともに、鏡筒内周面から隔離するようにして空間（スペース）を設ける。これによって接着だまり４ｂに供給した接着剤が第２光学レンズ１０ｂの外周面と鏡筒２０の内周面の微細な隙間を伝って下方に流れても、第２基準面３ｂに接着剤が流れ込むのを防止することができる。
【００１２】
すなわち、２つの光学レンズ（第１光学レンズ１０ａと第２光学レンズ１０ｂ）を鏡筒内に嵌合し、夫々の光学レンズの位置合わせと光軸調整を行った後、第２光学レンズ１０ｂのフランジ上面の接着だまり４ｂに供給した接着剤によって第２光学レンズ１０ｂと鏡筒２０を接着して鏡筒内に２つの光学レンズを固定するにあたって、フランジ外周の下部全周にわたってスペーサ６ｂを形成した第２光学レンズ１０ｂを使用することによって、前記接着だまり４ｂに供給した接着剤が第２基準面３ｂに流れ込むのを防止することができ、光学レンズの精確な位置合わせと光軸調整を行うことができる。
【００１３】
なお図１に示す実施例では、鏡筒上部の内周口径を大きくした鏡筒（径大部を有する鏡筒）２０を使用し、この鏡筒２０の内周口径にあわせてレンズ径を設計した第１光学レンズ１０ａと第２光学レンズ１０ｂを鏡筒２０に嵌合した。
そして、鏡筒２０に形成した径大部と、第２光学レンズ１０ｂに形成したスペーサ６とによって、第２基準面３ｂの外周と鏡筒２０の内周面の間に大きな空間（スペース）を形成した。
【００１４】
図１（ｂ）は、接着だまり４ｂに接着剤を供給した状態を示すものであって、図１（ａ）中のＸ部位を拡大した拡大部分断面図である。
図１（ｂ）に示すように、第２光学レンズ１０ｂにスペーサ６ｂを形成することによって、毛細管現象によって第２光学レンズ１０ｂの外周面を伝って流れる接着剤は、第２基準面３ｂに到達するまでの道のりが長くなり、第２基準面３ｂに接着剤が流れ込むのを防止することができる。また毛細管現象によって鏡筒２０の内周面を伝って流れる接着剤は、第２基準面３ｂから離れた方向に流れ、第２基準面３ｂに到達するまでの道のりが長くなり、第２基準面３ｂに接着剤が流れ込むのを防止することができる。
さらに、第１光学レンズ１０ａの嵌合部上方から径大部が配設されるように設計した鏡筒２０を使用し、第１光学レンズ１０ａの外周面と鏡筒２０の内周面との間に凹溝を形成することによって、毛細管現象によって鏡筒２０の内周面を伝って流れる接着剤は前記凹溝に流れ、この凹溝よりも上方に位置する第２基準面３ｂに接着剤が流れ込む心配がない。
【００１５】
この実施例では、第２基準面３ｂの外周からレンズ載置面５の外周までの距離が少なくとも０．２５ｍｍ以上、レンズ載置面５からスペーサ６の上面までの距離が少なくとも０．２５ｍｍ以上となるように、第２光学レンズの外周面下部にスペーサ６を形成した。また鏡筒内周の径大部の下端から、スペーサ６の上面までの距離が０．５ｍｍ以上になるように設計し、鏡筒２０の内周面と光学レンズの外周面との間の第２基準面３ｂ付近に大きな空間（スペース）を形成した。
【００１６】
次に、この発明による光学レンズの第２の形態について、図２に示す。
図２の部分断面図は、光学機能面１の外周にフランジ２を形成した光学レンズ（１枚）を鏡筒２０に取り付けた状態を示すものであって、光学レンズ１０のフランジ下面に形成した基準面３を鏡筒内周に形成した凸部２１に載置し、光学レンズの位置決めと光軸調整を行っている。
【００１７】
この実施例では、光学レンズ１０のフランジ外周面の嵌合部を鏡筒２０の内周面に内接させるとともに、鏡筒２０の凸部２１に基準面３を載置して光学レンズ１０の位置決めと光軸調整を行っている。
つまりレンズ載置部として鏡筒内周に凸部２１を形成し、この凸部２１に光学レンズを載置することによって光学レンズの位置合わせと光軸調整を行っている。
【００１８】
さらに光学レンズ１０には、フランジ上面に接着だまり４を形成し、フランジ外周の下部全周にわたってスペーサ６を形成してある。
フランジ外周の下部全周にわたって形成したスペーサ６は、フランジ上面の接着だまり４に供給した接着剤がフランジ下面の基準面３に流れ込むのを防止するための手段であり、フランジ外周面の嵌合部よりも下方を凹ませるようにしてスペーサ６を形成することによって、フランジ下面にある基準面３の外周を内側に移行させたものである。
【００１９】
つまり、フランジ外周面の嵌合部とフランジ下面の基準面３との間に介在するスペーサ６によって基準面３の外周をレンズ中心に向かって移行させ、前記基準面３の外周をフランジ外周面の嵌合部から遠ざけるとともに、鏡筒内周面から隔離するようにして空間（スペース）を設ける。これによって接着だまり４に供給した接着剤が光学レンズ１０の外周面と鏡筒２０の内周面の微細な隙間を伝って下方に流れても、基準面３に接着剤が流れ込むのを防止することができる。
【００２０】
すなわち、光学レンズ１０を鏡筒内に嵌合し、位置合わせと光軸調整を行った後、光学レンズ１０のフランジ上面の接着だまり４に供給した接着剤によって光学レンズ１０と鏡筒２０を接着して鏡筒内に光学レンズ１０を固定するにあたって、フランジ外周の下部全周にわたってスペーサ６を形成した光学レンズ１０を使用することによって、前記接着だまり４に供給した接着剤が基準面３に流れ込むのを防止することができ、光学レンズの精確な位置合わせと光軸調整を行うことができる。
【００２１】
この実施例では、基準面３の外周から鏡筒内周面までの距離が０．２〜０．５ｍｍ、凸部２１からスペーサ６の上面までの距離が０．２〜０．５ｍｍとなるように、光学レンズ１０のフランジ外周の下部全周にわたってスペーサ６を形成した。
【００２２】
【発明の効果】
以上説明したように、この発明は、鏡筒に嵌合して使用する光学レンズにおいて、光学機能面の外周にあるフランジのフランジ下面に基準面を形成するとともに、フランジ上面に接着だまりを形成し、前記基準面をレンズ載置部に載置することによって光学レンズの位置決めと光軸調整を行うとともに、前記接着だまりに供給した接着剤によって光学レンズを鏡筒内に固定し、さらに前記接着だまりに供給した接着剤が基準面に流れ込むのを防止するため、フランジ外周の下部全周にわたってスペーサを形成した。スペーサを形成した光学レンズを鏡筒に取り付けることによって、光学レンズの接着だまりに供給した接着剤が基準面に流れ込むのが防止され、光学レンズの位置決めと光軸調整を精確に行うことができた。
【図面の簡単な説明】
【図１】この発明による光学レンズの取り付け方法の第１の形態を示す図。
【図２】この発明による光学レンズの取り付け方法の第２の形態を示す図。
【図３】従来技術による光学レンズの取り付け方法の第１の形態を示す図。
【図４】従来技術による光学レンズの取り付け方法の第２の形態を示す図。
【符号の説明】
１    光学機能面
２    フランジ
３    基準面
３ａ  第１基準面
３ｂ  第２基準面
４、４ｂ    接着だまり
５    レンズ載置面
６、６ｂ    スペーサ
１０  光学レンズ
１０ａ  第１光学レンズ
１０ｂ  第２光学レンズ
２０    鏡筒
２１    凸部
【図１】
2004354709.tif 000003
【図２】
2004354709.tif 000004
【図３】
2004354709.tif 000005
【図４】
2004354709.tif 000006